(57)【要約】【課題】建屋全体の必要換気風量および同一エリア内の必要換気風量を確実に確保し、換気風量過多によるエネルギーロスを低減すると共に、同一エリア内の必要換気風量の不足を防ぐ換気装置を提供する。【解決手段】同一建屋内に設置された複数の換気装置が、各々の床面積設定部１４にて設定された床面積情報や、エリア設定部１５にて設定されたエリア情報や、現在運転している風量情報、設置数量の情報を情報送信部２０および情報受信部２１を介して共有し、制御部１９は取得した建屋に必要な総換気風量を基に、総換気風量を保持するよう自己の風量を決定する第１風量決定手段２６を備え、更に取得した同一エリア内に必要な換気風量を基に、同一エリア内で換気風量の増減を吸収し、同一建屋内の総換気風量および同一エリア内の必要換気風量を保持するよう、第１風量決定手段２６で決定した風量に優先させて自己の風量を決定する第２風量決定手段２８を備えた。【選択図】図６
2014163568.tif 000002
【特許請求の範囲】
【請求項１】
同一建屋内に少なくとも３つの換気装置を備え、建屋内の換気風量を一定に保つ換気システムを構成する換気装置であって、それぞれの換気装置は、建屋の総床面積を設定する床面積設定部と、設置場所を設定するエリア設定部と、前記総床面積の情報と前記設置場所のエリア情報と自己の風量情報を他の換気装置へ送信する情報送信部と、他の換気装置の前記床面積設定部にて設定されている情報と前記エリア設定部にて設定されている前記エリア情報と前記風量情報を受信する情報受信部と、前記換気装置の動作を決定する制御部とを備えて構成され、前記制御部は、前記自己の床面積設定部にて設定されている情報と、前記情報受信部で得られた他の換気装置の床面積設定部にて設定された情報とを比較し、最も多い同一設定情報もしくは最も大きい設定情報から建屋内に必要な総換気風量を判断する総換気風量判断手段と、前記総換気風量判断手段で得られた情報と同一建屋内に設置されている前記他の換気装置の数量情報とから、前記総換気風量を保つよう自己の風量を決定する第１風量決定手段と、前記第１風量決定手段で決定した自己の風量と前記他の換気装置のエリア情報とから、同一エリア内に設置された換気装置の数量を特定し、同一エリア内に必要な換気風量を決定するエリア内換気風量決定手段と、前記同一エリア内の他の換気装置の風量が増減した場合に、前記エリア内換気風量決定手段で決定したエリア内の換気風量を保つように前記第１風量決定手段で決定した風量に優先させて、新たな自己の風量を決定する第２風量決定手段とを備えたことを特徴とする換気装置。
【請求項２】
室内の状況を検知する環境検出部を備え、前記環境検出部の検出手段に応じてあらかじめ決められた設置場所を基に設置場所を判断するエリア判定手段を備えたことを特徴とした請求項１記載の換気装置。
【請求項３】
環境検出部として人感センサ、温度センサ、湿度センサ、煙センサ、一酸化炭素センサ、二酸化炭素センサの少なくとも一つであることを特徴とした請求項２記載の換気装置。
【発明の詳細な説明】
【技術分野】
【０００１】
本発明は、換気の動作に関連して排気風量を制御する換気装置に関する。
【背景技術】
【０００２】
従来のこの種、換気装置は、複数の換気装置うちの特定の１つを、基準換気装置として、一定の換気風量を確保するように制御装置により風量制御し、この制御装置に基準換気装置とは別の複数の駆動手段を設け、これらの駆動手段により他の換気装置にそれぞれその風量特性に応じた電源を供給するようにして、上記基準換気装置と他の換気装置との換気風量を均衡させるようにしたものであった（例えば、特許文献１参照）。
【先行技術文献】
【特許文献】
【０００３】
【特許文献１】特許第３７２２９０７号公報
【発明の概要】
【発明が解決しようとする課題】
【０００４】
このような従来の換気装置では、換気装置の設置場所に関わらず、各々の換気装置の風量を同一にして建屋全体の必要換気風量を確保していたため、同一エリア内に複数の換気装置が設置されており、エリア内の１つの換気装置の風量が変化すると、建屋全体の必要換気風量を確保するために他のエリアに設置された換気装置の風量も変化するため、建屋の間取りによっては、他のエリアに設置された換気装置からの換気効果が十分に得られず、エリア内の換気風量過多や換気風量不足が発生していた。
【０００５】
本発明は、上記従来の課題を解決するのもで、エリア内の換気風量過多や換気風量不足を防ぐことのできる換気装置を提供することを目的とする。
【課題を解決するための手段】
【０００６】
上記課題を解決するために、本発明の換気装置は、同一建屋内に少なくとも３つの換気装置を備え、建屋内の換気風量を一定に保つ換気システムを構成する換気装置であって、それぞれの換気装置は、建屋の総床面積を設定する床面積設定部と、設置場所を設定するエリア設定部と、前記総床面積の情報と前記設置場所のエリア情報と自己の風量情報を他の換気装置へ送信する情報送信部と、他の換気装置の前記床面積設定部にて設定されている情報と前記エリア設定部にて設定されている前記エリア情報と前記風量情報を受信する情報受信部と、前記換気装置の動作を決定する制御部とを備えて構成され、前記制御部は、前記自己の床面積設定部にて設定されている情報と、前記情報受信部で得られた他の換気装置の床面積設定部とを比較し、最も多い同一設定情報もしくは最も大きい設定情報から建屋内に必要な総換気風量を判断する総換気風量判断手段と、前記総換気風量判断手段で得られた情報と同一建屋内に設置されている前記他の換気装置の風量およびその数量情報とから、前記総換気風量を保つよう自己の風量を決定する第１風量決定手段と、前記第１風量決定手段で決定した自己の風量と前記他の換気装置の風量およびエリア情報とから、同一エリア内に設置された各々の換気装置の風量とその数量を特定し、同一エリア内に必要な換気風量を決定するエリア内換気風量決定手段と、前記同一エリア内の他の換気装置の風量が増減した場合に、前記エリア内換気風量決定手段で決定したエリア内の換気風量を保つように前記第１風量決定手段で決定した風量に優先させて、新たな自己の風量を決定する第２風量決定手段とを備えたことを特徴とするものである。
【発明の効果】
【０００７】
本発明の換気装置によれば、同一建屋内に少なくとも３つの換気装置を備え、建屋内の換気風量を一定に保つ換気システムを構成する換気装置であって、それぞれの換気装置は、建屋の総床面積を設定する床面積設定部と、設置場所を設定するエリア設定部と、前記総床面積の情報と前記設置場所のエリア情報と自己の風量情報を他の換気装置へ送信する情報送信部と、他の換気装置の前記床面積設定部にて設定されている情報と前記エリア設定部にて設定されている前記エリア情報と前記風量情報を受信する情報受信部と、前記換気装置の動作を決定する制御部とを備えて構成され、前記制御部は、前記自己の床面積設定部にて設定されている情報と、前記情報受信部で得られた他の換気装置の床面積設定部とを比較し、最も多い同一設定情報もしくは最も大きい設定情報から建屋内に必要な総換気風量を判断する総換気風量判断手段と、前記総換気風量判断手段で得られた情報と同一建屋内に設置されている前記他の換気装置の風量およびその数量情報とから、前記総換気風量を保つよう自己の風量を決定する第１風量決定手段と、前記第１風量決定手段で決定した自己の風量と前記他の換気装置の風量およびエリア情報とから、同一エリア内に設置された各々の換気装置の風量とその数量を特定し、同一エリア内に必要な換気風量を決定するエリア内換気風量決定手段と、前記同一エリア内の他の換気装置の風量が増減した場合に、前記エリア内換気風量決定手段で決定したエリア内の換気風量を保つように前記第１風量決定手段で決定した風量に優先させて、新たな自己の風量を決定する第２風量決定手段とを備えたことを特徴とするものであり、同一建屋内に複数台の換気装置が設置された場合においても建屋全体の必要換気風量および同一エリア内の必要換気風量を保つことができ、換気風量過多によるエネルギーロスを低減できると共に、同一エリア内の必要換気風量が不足することを防ぐことができるという効果のある換気装置を提供することができる。
【図面の簡単な説明】
【０００８】
【図１】本発明の一実施形態の換気システムの設置構成例を示す図
【図２】同実施の形態１の換気扇の分解斜視図
【図３】同実施の形態１にかかる換気扇の設置例を示す一部切欠斜視図
【図４】床面積設定部を示す図（（ａ）外観図、（ｂ）床面積と風量の相関図）
【図５】エリア設定部を示す図
【図６】同実施の形態１の制御ブロック図
【図７】同実施の形態１の制御部の風量制御動作を説明するためのフローチャート
【図８】同実施の形態２の換気扇の分解斜視図
【図９】同実施の形態２の制御ブロック図
【図１０】同実施の形態２の各種センサと設置エリア情報の相関を示す図
【発明を実施するための形態】
【０００９】
本発明の請求項１記載の換気装置は、同一建屋内に少なくとも３つの換気装置を備え、建屋内の換気風量を一定に保つ換気システムを構成する換気装置であって、それぞれの換気装置は、建屋の総床面積を設定する床面積設定部と、設置場所を設定するエリア設定部と、前記総床面積の情報と前記設置場所のエリア情報と自己の風量情報を他の換気装置へ送信する情報送信部と、他の換気装置の前記床面積設定部にて設定されている情報と前記エリア設定部にて設定されている前記エリア情報と前記風量情報を受信する情報受信部と、前記換気装置の動作を決定する制御部とを備えて構成され、前記制御部は、前記自己の床面積設定部にて設定されている情報と、前記情報受信部で得られた他の換気装置の床面積設定部とを比較し、最も多い同一設定情報もしくは最も大きい設定情報から建屋内に必要な総換気風量を判断する総換気風量判断手段と、前記総換気風量判断手段で得られた情報と同一建屋内に設置されている前記他の換気装置の風量およびその数量情報とから、前記総換気風量を保つよう自己の風量を決定する第１風量決定手段と、前記第１風量決定手段で決定した自己の風量と前記他の換気装置の風量およびエリア情報とから、同一エリア内に設置された各々の換気装置の風量とその数量を特定し、同一エリア内に必要な換気風量を決定するエリア内換気風量決定手段と、前記同一エリア内の他の換気装置の風量が増減した場合に、前記エリア内換気風量決定手段で決定したエリア内の換気風量を保つように前記第１風量決定手段で決定した風量に優先させて、新たな自己の風量を決定する第２風量決定手段とを備えたものである。
【００１０】
これにより、各々の換気装置の制御部が、情報送信部と情報受信部を介して双方向通信して情報を共有することで、エリア内換気風量決定手段は、同一エリア内に必要な換気風量を決定することになり、第２風量決定手段は、同一のエリア内の他の換気装置の風量が増減した場合に第１風量決定手段で決定した風量に優先させて、自己の風量を新たに決定することになり、同一エリア内で換気風量の増減を吸収して、同一建屋内の総換気風量を確保することとなるので、他のエリアに設置された換気装置の換気効果を損なうことを防止することができる。
【００１１】
また、請求項２記載の換気装置は、室内の状況を検知する環境検出部を備え、前記環境検出部の検出手段に応じてあらかじめ決められた設置場所を基に設置場所を判断するエリア判定手段を備えたものである。
【００１２】
これにより、エリア判定手段は、使用者が設置場所に応じて所望する検出対象の環境変化要素に対応して確実に設置場所のエリアを特定することができる。
【００１３】
また、請求項３記載の換気装置は、環境検出部として人感センサ、温度センサ、湿度センサ、一酸化炭素センサ、二酸化炭素センサの少なくとも一つである特徴を有する。
【００１４】
これにより、換気装置の設置場所の環境変化を確実に検出することができる。
【００１５】
以下、本発明の一実施形態を、添付の図面を用いて説明する。
【００１６】
（実施の形態１）
図１は本発明の実施の形態１の換気システムの設置構成例を示す図で、同一建屋内に３台の換気装置が設置されている場合を想定したものであり、各々の換気装置を第一の換気装置１と第二の換気装置２と第三の換気装置３とし、第一の換気装置１と第二の換気装置２は、同じエリア内のＬＤＫに設置されており、第三の換気装置３は別のエリアのトイレ／浴室に設置されているとして本発明の実施の形態１について以下説明する。
【００１７】
ここで、第一の換気装置１と、第二の換気装置２と、第三の換気装置３は同じ構成であるため、第一の換気装置１を例とし、まず換気装置の構成について説明する。
【００１８】
図２において、換気装置の本体ケース４は、下面に室内空気取入開口部５、側面（または上面）に室内空気排出開口部６を有する箱形の本体ケースで、内部には送風機７が設けられている。
【００１９】
この換気装置の本体ケース４は図３のごとく、天井板８の上面に設置されるもので、この天井板８には、室内空気取入開口部５と略同じ大きさの開口部（図示せず）が設けられている。
【００２０】
また、換気装置の本体ケース４の室内空気排出開口部６にはダクト９の一端が接続され、さらにダクト９の他端は室外へと延長されている。
【００２１】
前記本体ケース４は、天井板８の下面から、前記室内空気取入開口部５を覆うごとく、スリット状の通気孔１０を備えた化粧板１１が着脱自在に取り付けられている。
【００２２】
この化粧板１１の前記本体ケース４への取り付けについては、よく知られた構造であるので、簡単に説明すると、図２に示すように、化粧板１１の取り付けバネ１２を、本体ケース４の取り付部１３に装着することで、この作業は簡単に行える。前記化粧板１１は、本体ケース４の室内空気取入開口部５よりも大きなものであるので、天井板８の開口部（図示せず）や、前記室内空気取入開口部５を、天井板８の下面側から覆い、美的感覚を高めるものである。
【００２３】
また、この化粧板１１を着脱し、使用者が容易に確認でき操作可能な位置には、換気装置が設置されている建屋全体の総床面積の目安を設定するための床面積設定部１４と設置場所を設定するためのエリア設定部１５が取り付けられている。この床面積設定部１４は、図４（ａ）に示すように、建屋の総床面積を他段階に設定可能なダイヤル式のスイッチを設けたものであるが、これに限定するものではなく、建屋の総床面積を切替設定ができれば良いものとする。
【００２４】
また、建築業界においては、換気風量は、建物の床面積によって確保しなければならない風量値が決まっているのが一般的である。すなわち図４（ｂ）に示すように、総床面積に応じた建屋に必要な総換気風量が規定されている。
【００２５】
エリア設定部１５には、図５に示すように、換気装置の設置場所を設定可能なダイヤル式のスイッチを設けているが、これに限定するものではなく、換気装置の設置場所を切替設定ができれば良いものとする。
【００２６】
次に、換気装置の換気風量を制御する制御回路のブロック図について図６を用いて説明する。
【００２７】
制御回路のブロックは、商用電源１６に接続した電源回路１７と、電源回路１７の出力電圧からＦＥＴなどのスイッチング素子の集合体であるドライブＩＣ１８などを介して接続される三相（Ｕ、Ｖ、Ｗ相）の固定子巻き線を有するＤＣモータを備えた送風機７と、前記送風機７の回転数を調整する制御部１９を備えている。
【００２８】
また、前記制御回路のブロックは、建屋の総床面積情報を設定する床面積設定部１４と、換気装置の設置場所のエリア情報を設定するエリア設定部１５と、他の換気装置へ情報を伝達する情報送信部２０と、他の換気装置から情報を取得する情報受信部２１を備えている。
【００２９】
制御部１９には、電源回路１７と、ドライブＩＣ１８と、床面積設定部１４と、エリア設定部１５と、情報送信部２０と、情報受信部２１とが接続されている。
【００３０】
また、制御部１９は、電源回路１７の出力電圧であるＤＣ５ＶやＤＣ３Ｖで駆動するものであり、ＣＰＵ（Ｃｅｎｔｒａｌ  Ｐｒｏｃｅｓｓｉｎｇ  Ｕｎｉｔ）で構成される。後述する制御部１９の動作については、制御部１９内部のカウンターやＲＡＭ、ＲＯＭが共同するプログラムの形態で実施される。
【００３１】
既に図４（ｂ）を用いて説明した総床面積に応じた建屋に必要な総換気風量は、このＣＰＵに記憶している。
【００３２】
また、制御部１９は、自らの実際の風量を検出する風量検出手段２２と、他の換気装置へ伝達する自己の情報を蓄えるための送信情報バッファ２３と、他の換気装置からの情報を蓄えるための受信情報バッファ２４と、建屋内に必要な総換気風量を判断する総換気風量判断手段２５と、１台あたりの換気風量を自己の風量として決定する第１風量決定手段２６と、自己のエリア内に必要な換気風量を決定するエリア内換気風量決定手段２７と、第１風量決定手段２６で決定した風量に優先させて、新たに自己の風量を決定する第２風量決定手段２８とから構成されている。
【００３３】
風量検出手段２２は、ダクト９内部に風量を検出するセンサ（図示せず）を備え付け検出する方法や、送風機７の電流や回転数の情報を元に検出する方法を用いて自らの風量を検出する方法などで自らの実際の風量を検出するものである。
【００３４】
送信情報バッファ２３には、床面積設定部１４にて設定された建屋の総床面積情報や、エリア設定部１５にて設定された設置場所のエリア情報や、風量検出手段２２で検出した自らの実際の風量情報を蓄えるものであり、情報送信部２０へ接続されている。
【００３５】
受信情報バッファ２４は、情報受信部２１に接続されていて、他の換気装置の総床面積情報や、エリア情報や、風量情報を蓄えるものである。
【００３６】
なお、各々の換気装置の情報送信部２０は他の換気装置の情報受信部２１へ情報を伝達できるように接続するものであるが、その接続については、有線式や無線式のどちらでも同様の効果が期待できる。
【００３７】
総換気風量判断手段２５は、第一の換気装置１の床面積設定部１４にて設定された総床面積情報と、情報受信部２１を介して受信情報バッファ２４に蓄えられた第二の換気装置２および第三の換気装置３の総床面積情報とを比較して、最も多くの換気装置で設定された同一の総床面積情報を建屋の総床面積として認識するものであって、同一の総床面積情報がない場合には、最も大きい総床面積情報を建屋の総床面積として認識し、あらかじめＣＰＵ内部に記憶されたこの総床面積に対応する風量情報を引き出し必要な総換気風量とするものである。
【００３８】
第１風量決定手段２６は、受信情報バッファ２４に蓄えられた他の換気装置の情報数から同一建屋内に設置された換気装置の数量を特定し、この数量情報と、第一の換気装置１の総換気風量判断手段２５にて決定した総換気風量情報とから１台あたりの換気風量を自己の風量として決定し、エリア内換気風量決定手段２７および第２風量決定手段２８に送るものである。
【００３９】
エリア内換気風量決定手段２７は、第一の換気装置１の第１風量決定手段２６で決定した１台あたりの換気風量情報とエリア設定部１５にて設定されたエリア情報と、情報受信部２１を介して受信情報バッファ２４に蓄えられた第二の換気装置２のエリア情報および第三の換気装置３のエリア情報を基に第一の換気装置１と同一エリア内に設置された換気装置を認識してその情報数から同一エリア内の換気装置の数量を特定し、同一エリア内の換気装置の風量を合計して、第一の換気装置１が設置されたエリア内に必要なエリア内換気風量を決定するものである。
【００４０】
第２風量決定手段２８は、エリア内換気風量決定手段２７で決定したエリア内換気風量情報と、風量検出手段２２で検出した自らの実際の風量情報と、受信情報バッファ２４に蓄えられた第一の換気装置１と同一エリア内の他の換気装置の風量情報と、第１風量決定手段２６で決定した１台あたりの換気風量情報を基にエリア内換気風量に対する過不足風量を算出すると共に、１台あたりの換気風量と等しい風量の換気装置、すなわち規定風量で動作している換気装置を認識してその情報数から規定風量の換気装置の数量を特定し、この過不足風量と規定風量の換気装置の数量とからエリア内換気風量を保つように新たに自己（第一の換気装置１）の風量を決定し、ドライブＩＣ１８を介して送風機７の風量を調整するものである。
【００４１】
上記構成において、換気装置の風量制御動作について図７に示すフローチャートを用いて説明する。
【００４２】
本フローは、受信情報バッファ２４が第一の換気装置１と同一建屋内に設置された他の換気装置である第二の換気装置２および第三の換気装置３の床面積設定部１４の設定情報と、エリア設定部１５で設定されたエリア情報を取得するフロー（ＳＴＥＰ１）と、総換気風量判断手段２５および第１風量決定手段２６が受信情報バッファ２４から総床面積および、１台あたりの換気風量を自己の風量として決定するフロー（ＳＴＥＰ２）と、エリア内換気風量決定手段２７が自己のエリアの換気風量を決定するフロー（ＳＴＥＰ３）と、第２風量決定手段２８が第一の換気装置１と同一エリア内の他の換気装置の風量情報とから新たに自己（第一の換気装置１）の風量の決定をするフロー（ＳＴＥＰ４）とから構成される。
【００４３】
ここでは、総床面積４５１ｍ2〜６００ｍ2の建屋に、最大風量能力１００〔ｍ2／ｈ〕の同スペックの換気装置を３台設置した場合を想定し、以下詳細について説明する。
【００４４】
ＳＴＥＰ１にて、第一の換気装置１と、第二の換気装置２と、第三の換気装置３へ電源が供給されると、それぞれの換気装置内では、床面積設定部１４にて設定された床面積情報は、総換気風量判断手段２５に認識されると共に、エリア設定部１５で設定されたエリア情報が、エリア内換気風量決定手段２７に認識され、それぞれ床面積情報とエリア情報は、送信情報バッファ２３に蓄えられ、情報送信部２０を介して他の換気装置へ送信される。
【００４５】
ここで例えば、第一の換気装置１の床面積設定値がＳ１＝４５１〜６００〔ｍ2〕、エリア設定がＡ１＝ＬＤＫ、また、第二の換気装置２の床面積設定値がＳ２＝４５１〜６００〔ｍ2〕、エリア設定がＡ２＝ＬＤＫ、さらに、第三の換気装置３の床面積設定値がＳ３＝〜１５０〔ｍ2〕、エリア設定がＡ３＝トイレ／浴室とした場合について説明をする。
【００４６】
第一の換気装置１は、Ｓ１とＡ１の情報を第二の換気装置２および第三の換気装置３へ送信、また、第二の換気装置２は、Ｓ２とＡ２の情報を第一の換気装置１および第三の換気装置３へ送信、さらに、第三の換気装置３は、Ｓ３とＡ３の情報を第一の換気装置１および第二の換気装置２へ送信することで、双方向通信が完了する。
【００４７】
これらの情報は、それぞれの換気装置の情報受信部２１を介して受信情報バッファ２４に蓄えられることでそれぞれの床面積情報は、総換気風量判断手段２５で、エリア情報は、エリア内換気風量決定手段２７で認識される。第１風量決定手段２６は、受信情報バッファ２４に蓄えられた情報数から同一建屋内に３台の換気装置が接続されていることを認識できる。
【００４８】
更に、第一の換気装置１および第二の換気装置２のエリア内換気風量決定手段２７は、自己のＬＤＫエリア内には２台の換気装置が接続されていることを認識する。一方、第三の換気装置３は、自己のトイレ／浴室エリアには１台の換気装置が接続されていることを認識する。
【００４９】
次にＳＴＥＰ２にて、総換気風量判断手段２５および第１風量決定手段２６の動作について説明する。
【００５０】
総換気風量判断手段２５は、床面積設定部１４の建屋の総床面積情報Ｓ１と受信情報バッファ２４の第二の換気装置の建屋の総床面積Ｓ２と第三の換気装置の建屋の総床面積Ｓ３の情報を比較し、最も多く一致した値、ここではＳ１＝Ｓ２＝４５１〜６００〔ｍ2〕の情報を建屋の総床面積情報として認識する。
【００５１】
制御部１９の内部には、図４（ｂ）のテーブルデータが記憶されているので、ここでＳ１＝Ｓ２＝４５１〜６００〔ｍ2〕に対応する建屋に必要な総換気風量Ｑ＝２１０〔ｍ3／ｈ〕へデータの置換をして認識する。
【００５２】
しかし、例えばＳ１＝４５１〜６００〔ｍ2〕、Ｓ２＝３０１〜４５０〔ｍ2〕、Ｓ３＝〜１５０〔ｍ2〕と設定され、いずれも一致しない場合は、最も大きい値のＳ１＝４５１〜６００〔ｍ2〕を建屋の総床面積情報として認識する。
【００５３】
第一の換気装置１、第二の換気装置２、第三の換気装置３の最大風量能力はそれぞれ１００〔ｍ3／ｈ〕であるので、３台同時に最大能力で運転した場合は、総換気風量＝１００×３＝３００〔ｍ3／ｈ〕となり、必要な総換気風量Ｑ＝２１０〔ｍ3／ｈ〕に対して、９０〔ｍ3／ｈ〕の風量過多状態となる。
【００５４】
そこで、第１風量決定手段２６は、ＳＴＥＰ１にて認識した同一建屋内に３台の換気装置が接続されている情報と、総換気風量判断手段２５にて認識した建屋に必要な総換気風量Ｑ＝２１０〔ｍ3／ｈ〕の情報を基に、換気装置１台あたりの風量Ｑ１＝Ｑ／Ｎ＝２１０／３＝７０〔ｍ3／ｈ〕とする。
【００５５】
次にＳＴＥＰ３にて、エリア内換気風量決定手段２７の動作について説明する。
【００５６】
エリア内換気風量決定手段２７は、ＳＴＥＰ１にて認識した同一エリア内の換気装置の接続台数の情報と、ＳＴＥＰ２で第１風量決定手段２６にて決定された換気装置１台あたりの風量情報を基に、自己のエリア内に必要なエリア内換気風量を決定する。つまり、第一の換気装置１、第二の換気装置２は、ＬＤＫエリア内に２台の換気装置が接続されている情報と、換気装置１台あたりの風量Ｑ１＝Ｑ２＝Ｑ／Ｎ＝７０〔ｍ3／ｈ〕の情報を基に、ＬＤＫエリア内に必要なエリア内換気風量ＱＡｒ１＝７０＋７０＝１４０〔ｍ3／ｈ〕とする。
【００５７】
また、第三の換気装置３は、トイレ／浴室エリア内に１台の換気装置が接続されている情報と、換気装置１台あたりの風量Ｑ３＝Ｑ／Ｎ＝７０〔ｍ3／ｈ〕の情報を基に、トイレ／浴室エリア内に必要なエリア内換気風量ＱＡｒ２＝７０〔ｍ3／ｈ〕とする。
【００５８】
次にＳＴＥＰ４にて、第２風量決定手段２８の動作について説明する。
【００５９】
換気装置の本体ケース４の室内空気排出開口部６にはダクト９の一端が接続されており、さらにダクト９の他端は室外へと延長されているのが一般的な施工状態であり、ダクト９の長さによって圧力損失が増減し、当初定めた所定の風量を確保できない場合がある。
【００６０】
第一の換気装置１と第二の換気装置２のダクト９の長さがほぼ同等で、互いに７０〔ｍ3／ｈ〕の能力を発揮できれば問題ない。
【００６１】
しかし、例えば第二の換気装置２のダクト９が設計許容値以上の長さで施工され、風量Ｑ２＝５５〔ｍ3／ｈ〕の能力しか発揮できない場合もある。
【００６２】
自らの実際の風量は、風量検出手段２２で検出され、検出した自らの実際の風量情報は、送信情報バッファ２３に蓄えられ、情報送信部２０を介して他の換気装置へ送信される。
【００６３】
他の換気装置の実際の風量情報は、情報受信部２１を介して受信情報バッファ２４に蓄えられることで認識できる。
【００６４】
第一の換気装置１では、第２風量決定手段２８は、ＳＴＰＥ３でエリア内換気風量決定手段２７が決定したエリア内換気風量の情報と、風量検出手段２２で検出された自らの実際の風量情報と、受信情報バッファ２４に蓄えられた第二の換気装置２の風量情報を基にエリア内の過不足風量を算出すると共に、ＳＴＰＥ２で第１風量決定手段２６が決定した換気装置１台あたりの風量情報を基に規定風量で動作している換気装置は第一の換気装置１の１台であることを認識する。つまり、ＬＤＫエリア内に必要なエリア内換気風量ＱＡｒ１＝１４０〔ｍ3／ｈ〕の情報と、第一の換気装置１の風量Ｑ１＝７０〔ｍ3／ｈ〕の情報と、第二の換気装置２の風量Ｑ２＝５５〔ｍ3／ｈ〕の情報を基に、ＬＤＫエリア内の過不足風量ｄＱＡｒ＝ＱＡｒ１−（Ｑ１＋Ｑ２）＝１４０−（７０＋５５）＝１５〔ｍ3／ｈ〕の風量が不足していると算出し、規定風量で動作している換気装置の台数ｎ＝１台と認識する。
【００６５】
そして、過不足風量ｄＱＡｒと規定風量の換気装置の数量ｎとから、ＬＤＫエリア内に必要なエリア内換気風量ＱＡｒ１＝１４０〔ｍ3／ｈ〕になるように、第一の換気装置１の風量Ｑ１´＝Ｑ１＋ｄＱＡｒ／ｎ＝７０＋１５／１＝８５〔ｍ3／ｈ〕に再度調整し、ＬＤＫエリア内の換気風量を一定に保つように自己の風量を決定することができる。
【００６６】
一方、第二の換気装置２では、検出された風量Ｑ２＝５５〔ｍ3／ｈ〕であることから、第２風量決定手段２８は、第１風量決定手段２６が決定した換気装置１台あたりの風量情報を基に送風機７の出力を調整することとなる。
【００６７】
また、本実施の形態では、換気装置を３台用いて説明をしたが、台数が増加した場合も同様の効果が得られる。
【００６８】
以上のように、本発明の実施の形態１においては、各々の換気装置同士が各々に情報を取得し合うことで、エリア内換気風量決定手段２７で得られた情報と同一エリア内に設置されている換気装置の風量および数量情報とから自己の換気風量を判断し運転する構成としたので、同一エリア内の必要なエリア内換気風量に対して、換気装置それぞれの換気能力が過多の状況においても、換気装置同士が主従関係なく自己の風量を減じるように調整できることで、同一エリア内で換気風量の増減を吸収して同一エリア内の風量を最適に保ち、かつ同一建屋内の総換気風量を確保することが可能となる。
【００６９】
（実施の形態２）
本発明の実施の形態２の換気装置の構成について、図７〜９を参照しながら説明する。
【００７０】
本実施の形態は、実施の形態１のエリア設定部１５に替えて、室内の状況を検出する環境検出部２９と環境検出部２９を構成する検出手段を特定する情報から換気装置の設置エリアを判定するエリア判定手段３０を備えたものである。
【００７１】
なお、実施の形態１と同一機能を有するものは、同一符号を付して詳細な説明は省略する。
【００７２】
図８に示すように、化粧板１１の通気孔１０に環境検出部取り付け孔３１が設けられ、環境検出部取り付け孔３１には、環境検出部２９が具備されている。環境検出部２９は、検出手段として、人感センサ、温度センサ、湿度センサ、煙センサ、一酸化炭素センサ、二酸化炭素センサの少なくとも一つで構成される。
【００７３】
また、図９の換気装置の制御回路のブロック図に示すように、環境検出部２９は制御部１９へ接続され、制御部１９は環境検出部２９の各種センサ信号の変化を認識する。
【００７４】
制御部１９は内部にエリア判定手段３０を備え、エリア判定手段３０はプログラムの形態で実施される。
【００７５】
上記構成において、実施の形態２の換気装置が設置場所を判断する動作について図１０を用いて説明する。
【００７６】
図１０に示すように、制御部１９内部には、環境検出部２９を構成する各種センサ毎にエリア情報がＣＰＵに記憶されており、電源が供給されると、エリア判定手段３０は、環境検出部２９にあらかじめ設定されたセンサの種類情報を認識し、あらかじめＣＰＵ内部に記憶されたセンサの種類情報に対応するエリア情報を引き出し、エリア内換気風量決定手段２７へ伝達する。
【００７７】
例えば、環境検出部２９が人の有無を検知する人感センサ３２を備えている場合、環境検出部２９にあらかじめ設定されたセンサの種類情報から人感センサであるとエリア判定手段３０は認識することができ、エリア情報としてトイレ／浴室をエリア内換気風量決定手段２７へ伝達する。
【００７８】
以上のように、本発明の実施の形態２においては、環境検出部２９が備えているセンサの種類情報からエリア判定手段３０が設置場所を判定する構成としたので、センサを搭載した換気装置において、エリア設定部１５で設置場所を設定することなく、使用者が設置場所に応じて所望する検出対象の環境変化要素に対応して確実にエリア情報を決定することが可能となる。
【産業上の利用可能性】
【００７９】
以上のように本発明は、換気装置がネットワークを構成するため建物内および同一エリア内に必要な風量を最適に提供することができるため、家庭用の用途のほか、事務所、店舗等の用途などに適用することが出来る。
【００８０】
したがって、天井に設置される換気扇としての活用が期待されるものとなる。
【符号の説明】
【００８１】
１    第一の換気装置
２    第二の換気装置
３    第三の換気装置
１４  床面積設定部
１５  エリア設定部
１９  制御部
２０  情報送信部
２１  情報受信部
２５  総換気風量判断手段
２６  第１風量決定手段
２７  エリア内換気風量決定手段
２８  第２風量決定手段
２９  環境検出部
３０  エリア判定手段
【図１】
2014163568.tif 000003
【図２】
2014163568.tif 000004
【図３】
2014163568.tif 000005
【図４】
2014163568.tif 000006
【図５】
2014163568.tif 000007
【図６】
2014163568.tif 000008
【図７】
2014163568.tif 000009
【図８】
2014163568.tif 000010
【図９】
2014163568.tif 000011
【図１０】
2014163568.tif 000012